(57)【要約】【課題】水耕栽培において、作物の大小にこだわらず種，苗の植付けが容易であり、かつ生育後の植物の収穫，取外しが容易であると共に、根が拡がる植物に対して根を切らずに収穫できる定植パネルを提供する。【解決手段】所定大きさの四角形状外周枠２１と、該外周枠内を長さ方向，幅方向に夫々、２分する縦枠２２と横枠２３を有してなり、縦枠と横枠により区分された各区画には所定等間隔で幅方向に奇数列、通常３列、長さ方向に同じ間隔で複数の植込み孔２ａが並列配置されており、各区画における植込み孔２ａの中央列の植込み孔は幅方向に２分割され、これによって中心縦枠２２の両側半部の植込み孔が中心縦枠に挿通された軸を芯軸として蝶番状に開閉回動可能となっている構成である。【選択図】      図３
2006025633.tif 000002
【特許請求の範囲】
【請求項１】
栽培槽内の培養液中に定植パネルの植込み穴を介して植物の根を浸漬させて栽培を行う水耕栽培用の前記定植パネルであって、所定大きさの外周を規制する四角形状外周枠と、該外周枠内を長さ方向，幅方向に夫々、2分する縦枠と横枠を有してなり、縦枠と横枠により区分された各区画には所定等間隔で幅方向に奇数列，長さ方向に同じ間隔で複数の植込み孔が並列配置されており、各区画における植込み孔の中央列の植込み孔は幅方向に２分割され、これによって中心縦枠の両側半部の植込み孔が中心縦枠に挿通された軸を芯軸として蝶番状に開閉回動可能となっていることを特徴とする水耕栽培用マルチ定植パネル。
【発明の詳細な説明】
【技術分野】
【０００１】
本発明は栽培槽内の培養液中に配設し、その植込み孔を介し、植物の根を浸漬させて栽培を行う水槽栽培用のマルチ定植パネルに関するものである。
【背景技術】
【０００２】
従来、一般に行われている土壌栽培は、連作すると土壌伝染性の病害が発生し、また土壌の物性も悪化して作物の生育が不良となるのに対し、水耕栽培は装置類を消毒するだけで作物の連作が可能であることから広く実施され、普及している。
【０００３】
この水耕栽培は植物の根を浸漬させて栽培するにあたり、ポリウレタンスポンジや土などの培地に育成した苗をパネル体の植込用孔に植え付け、パネル体を水耕栽培槽の培養液に浮かべて育成する方法が一般的であり、水耕栽培に使用する上記パネル体としては発泡ポリスチレン製のもの等が広く用いられている。
【０００４】
ところで、上述の如き発泡ポリスチレン製では長時間繰り返して使用することによりパネル体の独立気泡が破損したり、パネル表面からの培養液の浸透と共に培養液中に存在している病原菌や藻類がパネル表面の微細空隙に取り付いて繁殖するなどの難があった。
【０００５】
そこで、これらに対応して、複数の植込み孔をもつパネル体と、パネル体の所要個所を覆ってパネル体内部への水の浸透を防止するためのパネルカバーを含んでいるパネルなど、種々の構成をもつパネル体が提案されている。(例えば特許文献１参照)
【特許文献１】特開平２００１−１７８２８７号公報
【発明の開示】
【発明が解決しようとする課題】
【０００６】
ところが、上記の如き従来のパネルは植込み孔の大きさが略決まっており、収穫される植物の形態，種類に応じて異なる植込み孔が求められることから、複数種類のパネルを用意しなければならなかった。
【０００７】
また、育成した植物の収穫時、根が横方向に拡がるようなものは根を切らずに収穫することが事実上、不可能であった。
【０００８】
本発明は上述の如き実状に対処し、上記の如き従来の水耕栽培用パネルの構成に改良を見出すことにより、作物の大小にこだわらず種，苗の植付けを容易にし、育成した植物の収穫，取り外しを容易ならしめると共に、特に根の拡がった植物に対しても根を切らずに収穫を可能ならしめることを目的とするものである。
【課題を解決するための手段】
【０００９】
即ち、上記目的に適合する本発明パネルは、所定大きさの外周四角形状外周枠と、該外周枠内を長さ方向，幅方向に夫々、2分する縦枠と横枠を有してなり、縦枠と横枠により区分された各区画には所定等間隔で幅方向に奇数列、長さ方向に同じ間隔で複数の植込み孔が並列配置されており、各区画における植込み孔の中央列の植込み孔は幅方向に２分割され、これによって中心縦枠の両側半部の植込み孔は中心縦枠に挿通された軸を芯軸として蝶番状に開閉回動可能となっているマルチ定植パネルである。
【００１０】
上記パネルは所定等間隔で並列配置されている植込み孔を、収穫する植物の大小に適応させて適宜、選定し、既知の如くロックウール，ポリウレタンなどを配して育成するが、育成した植物を収穫に際しては縦枠に挿通された軸を芯軸として各区画におけるパネル体の中心縦枠の両側半部を中央の分割されている植込み孔の分割線に沿って蝶番状に回動させることにより育成した植物の収穫，取り外しが容易であり、また、横に根が拡がっている場合においても根を切らずに容易に収穫することができる。
【００１１】
なお、植込み孔の選択により植物育成に使用されていない植込み孔を通しては太陽が入り光合成により植物の生育が促進される。
【発明の効果】
【００１２】
上記本発明定植パネルによれば、パネルに均等間隔で植込み孔が設けられ、植込み孔を使用時、適宜選択可能であるため作物の大小にこだわらず種，苗の植付けを容易に行うことができる。
【００１３】
またマルチパネルの一部を中央の芯軸により開閉回動することで太い根も切らずに収穫が容易であり、孔より水中に太陽エネルギーを入力し、光合成により植物の生育を促進する効果を有している。
【発明を実施するための最良の形態】
【００１４】
以下、本発明の実施の形態について添付図面にもとづいて説明する。
【００１５】
図１は本発明パネルを使用した水耕栽培装置の１例を示す一部省略全体概要図であり、図において１は栽培槽で、所定の幅，長さを有する長方形の水槽として形成されており、水槽内には本発明の特徴である均等配列間隔で貫通形成された植込み孔を有するマルチ定植パネル２が槽中央部に長さ方向に並設されたガイドレール３に沿って摺動可能に配設されて、ガイドレール３両側に水槽の長さに応じて所要複数が長さ方向に並置されて設けられるようになっている。
【００１６】
栽培槽１は、その上部には適宜、幌あるいは暴風雨のためのカバー４がこれを取り付けた金具を中央部のレール５に沿って手動又は電動によって移動させることにより伸縮自在となるように設けられ、幌を全開するときは太陽光が作物に降り注ぐようになっており、閉鎖で酸性雨，暴風雨，寒暖大差，虫の被害等を防ぎ得るようになっている。
【００１７】
また、栽培槽１の両側壁間にわたっては逆Ｕ字型の支柱６が間隔をおいて複数固定されており、この支柱６は散水液を送るため中空材料が用いられ、支柱の上部には図示していないが複数の散水ノズルが取り付けられていて、支柱６の両脚部下端が側壁部に内設される給液主管(図示せず)に接続し、栽培槽１の一端に設置されている給液装置(図示せず)によって送られる給液を散水ノズルに通して、散水し得るようになっている。
【００１８】
しかして、上記の如き構成からなる栽培槽１内に配置された本発明の要部をなす定植パネル２は図２，図３に示すように外周を規制する四角形状外周枠２１と、該外周枠の内部を長さ方向，幅方向に夫々、２分する縦枠２２と横枠２３によって骨格が形成され、縦枠２２と横枠２３によって区分された４つの区域の各区画には均等な配列間隔で幅方向に奇数列、最少の場合、図示の３列、長さ方向に所要複数の植込み孔２ａが並列配置されて設けられていると共に、各区画における植込み孔のうち、特に中央列の植込み孔２ａは幅方向に２分割され、これによって分割された植込み孔に手を掛け、引き上げることにより縦枠２２の両側半部の植込み孔２ａが夫々、連結杆２５で一体となって中心縦枠に挿通されている軸２４を芯軸として図２及び図４に示すように蝶番状に上方へ開閉回動可能となっている。
【００１９】
この定植パネル２は均等配列間隔で植込み孔２ａが設けられ、作物の大小に合わせて適宜、選択し得るようになっており、使用されない植込み孔は太陽光を入れて光合成が行われるようになっている。
【００２０】
そして、上記の如く一部を蝶番状回動により開閉することにより太い根や横に延びる長い根も切らずに収穫が可能となる。
【００２１】
なお、図４に示す如く植込み孔２ａは通常、上部大径部と下部小径部の連続となっており、ロックウール取付材の如き植物を支える支持材の植込みを安定ならしめている。
【００２２】
この定植パネルの構成材料は特に問わないが、一般的に合成樹脂製が好ましく、樹脂成形加工によって作成するのが最も好適である。
【００２３】
また、本発明定植パネルは図１に示した如き水耕栽培装置に限らず、既知の水耕栽培装置においても随時、使用可能である。
【図面の簡単な説明】
【００２４】
【図１】本発明に係る定植パネルを使用した水耕栽培装置のの１態様を示す一部省略全体概要図である。
【図２】本発明マルチ定植パネルを示す一部開放斜視図である。
【図３】上記パネルの平面図である。
【図４】図２のＡ‐Ａ断面図である。
【符号の説明】
【００２５】
１：栽培槽
２：定植パネル
２ａ：植込み孔
２１：外周枠
２２：縦枠
２３：横枠
【図１】
2006025633.tif 000003
【図２】
2006025633.tif 000004
【図３】
2006025633.tif 000005
【図４】
2006025633.tif 000006